(57)【要約】【課題】設備を大型化することなく、粒径の小さい氷粒子の含氷率が高いシャーベット状流動体を生成できる製氷システム及び製氷方法並びにシャーベット状流動体を用いた管路洗浄方法を提供すること。【解決手段】製氷システム１０は、塩水を冷却して氷粒子１４を含有するシャーベット状流動体１２を生成する製氷装置２０と、生成されたシャーベット状流動体１２を貯める貯留タンク３０と、貯留タンク３０内の流動体を攪拌する攪拌装置３５と、貯留タンク３０から排出される流動体を製氷装置２９を介して貯留タンク３０還流させる還流経路４０と、を備える。還流経路４０は、貯留タンク３０から排出される流動体から氷粒子１４を分離して塩水を抽出する分離フィルタ４４と、抽出された塩水を製氷装置２０へ送るポンプ４３を備える。還流経路４０により塩水を繰り返し還流することで、管路洗浄に適した含氷率の高いシャーベット状流動体を生成することができる。【選択図】図１
2020159640.tif 000002
【特許請求の範囲】
【請求項１】
塩水を冷却して氷粒子を含有するシャーベット状流動体を生成する製氷装置と、
該製氷装置によって生成されたシャーベット状流動体を貯める貯留タンクと、
該貯留タンク内のシャーベット状流動体を攪拌する攪拌装置と、
前記貯留タンクから排出される流動体を前記製氷装置を介して該貯留タンクに還流させる還流経路と、を備えた製氷システムにおいて、
前記還流経路は、前記貯留タンクから排出される流動体から氷粒子を分離して塩水を抽出する氷粒子分離機構と、抽出された塩水を前記製氷装置へ送る圧送手段と、を備えたことを特徴とする製氷システム。
【請求項２】
前記還流経路は、
前記氷粒子分離機構により分離された氷粒子を前記貯留タンク内に戻す氷粒子返還機構を備えたことを特徴とする請求項１に記載の製氷システム。
【請求項３】
前記氷粒子分離機構は、前記貯留タンクの流動体排出口又はその近傍に設けられ、シャーベット状の流動体から氷粒子を分離する分離フィルタを有し、
前記氷粒子返還機構は、前記分離フィルタに堆積した氷粒子に対して、前記還流経路の流れ方向と逆方向の流体圧力を付与する圧力付与手段を備えたことを特徴とする請求項２に記載の製氷システム。
【請求項４】
前記貯留タンクに形成された流出口と流入口との間を前記製氷装置を介さずに連結する循環配管と、前記流出口から前記流入口に向かって前記循環配管内の流動体を圧送する圧送手段と、を有する循環経路を備えたことを特徴とする請求項１〜３のいずれか１項に記載の製氷システム。
【請求項５】
前記貯留タンク内のシャーベット状流動体の最終的な含氷率が７０％以上であることを特徴とする請求項１〜４のいずれか１項に記載の製氷システム。
【請求項６】
前記製氷装置は、
熱交換媒体によって内周面が冷却される円筒状の冷却ドラムと、
該冷却ドラムの内部に配置され、円柱状の外周面に、前記冷却ドラムの内周面に付着した氷を掻き取る螺旋状の刃を有するオーガスクリュと、
前記冷却ドラムの一端部に設けられ、該冷却ドラムの内周面と前記オーガスクリュの外周面との間に塩水を注入する注入口と、
前記冷却ドラムの他端部に設けられ、前記オーガスクリュにより搬送された氷粒子を含有するシャーベット状の流動体を排出する排出口と、
を備えたことを特徴とする請求項１〜５のいずれか１項に記載の製氷システム。
【請求項７】
請求項１〜６のいずれか１項に記載の製氷システムを用いて氷粒子を含有するシャーベット状流動体を生成する製氷方法であって、
前記還流経路を用いて前記貯留タンクに貯留された塩水を繰り返し還流する還流工程と、
前記貯留タンク内のシャーベット状流動体を前記攪拌装置により攪拌する攪拌工程と、
を含み、
前記攪拌工程を行いながら前記還流工程を複数回繰り返すことにより、前記貯留タンク内のシャーベット状流動体の含氷率を７０％以上にすることを特徴とする製氷方法。
【請求項８】
請求項１〜６のいずれか１項に記載の製氷システムにより生成されたシャーベット状流動体を用いた管路洗浄方法であって、
シャーベット状流動体が収容されたタンクから該流動体の一部を取り出して、含氷率の測定を行う工程と、
測定結果に基づいて、前記タンク内のシャーベット状流動体の含氷率が所定の目標含氷率の範囲内となるように、必要に応じて該シャーベット状流動体の含氷率の調整を行う工程と、
前記目標含氷率の範囲内にあるシャーベット状流動体を用いて管路の洗浄を行う工程と、を含むことを特徴とする管路洗浄方法。
【発明の詳細な説明】
【技術分野】
【０００１】
本発明は、製氷システム、製氷方法、及び製氷システムにより生成されたシャーベット状流動体を用いた管路洗浄方法に関し、特に、塩水から氷粒子を含有するシャーベット状の流動体を生成する製氷システム及び製氷方法並びに該シャーベット状流動体を用いた管路洗浄方法に関する。
【背景技術】
【０００２】
流体等を流す管路、例えば、上水道管や下水道管、工場において原料や燃料等を送る搬送管、又は家庭内での排水管などの管路は、長期間の使用により管路内に堆積物等が付着する。このような管路では、堆積物の付着による詰まり等の不具合を防止するために、定期的に洗浄を行う必要がある。
【０００３】
例えば、下水道管では、管路内に排出された生活排水や産業排水に含まれる汚物等が管路の内壁に付着・堆積し、上水道管では、水道水に含まれるミネラル分や濾過をくぐり抜けた微細な異物や有機物等により、管路の内壁にぬめりや錆等が付着し、時間の経過とともに堆積する。
【０００４】
近年、このような管路の堆積物や異物を除去する管路洗浄方法として、洗浄対象となる管路内にシャーベット状の流動体を導入する方法が注目されている（例えば、特許文献１）。この管路洗浄方法では、塩水中に微細な氷粒子を含むシャーベット状の流動体を管路内に加圧注入して流動体を移動させる。これにより、流動体中の氷粒子が管路内の堆積物に衝突して堆積物が削り取られ、流動体とともに管路から排出される。
【０００５】
流体を流す管路は、多様な用途に合わせて様々な形態が採用されており、例えば、管路の曲がり部分や狭窄部分においては洗浄が困難になる。シャーベット状流動体を用いた洗浄方法では、多様な管路形状に容易に適応させることができ、堆積物を適切に除去することが可能である。流動体を構成する氷粒子は、管路内での流動性を維持するために、平均粒径が０．５ｍｍ以下の小さい粒径に設定されている。
【０００６】
塩水からシャーベット状の流動体を製造する製氷システムとして、例えば、特許文献２には、シャーベット状流動体を生成する製氷装置と、製氷装置により生成された流動体を貯留する貯留タンクと、貯留タンク内の流動体を攪拌する攪拌装置と、貯留タンクの底部に設けられた排出口と製氷装置の塩水供給口とを繋ぐ還流経路とを備えたシステムが記載されている。
【０００７】
特許文献２に記載の製氷システムでは、まず、貯留タンクに塩水を入れ、この貯留タンクから塩水の一部を還流経路により製氷装置へ供給する。製氷装置で生成されたシャーベット状流動体は貯留タンクに貯留され、塩水よりも比重の小さい氷粒子は塩水に浮いた状態となり、貯留タンク底部には塩水が溜った状態となる。還流経路を用いて貯留タンク底部の塩水を製氷装置へ供給するように還流を繰り返すことにより、貯留タンク内の氷粒子の割合が増加していき、貯留タンク内のシャーベット状流動体の含氷率（貯留タンク内のシャーベット状流動体の全体積に対する氷粒子の体積の割合）を高めることができる。また、攪拌装置によって貯留タンク内のシャーベット状流動体を攪拌することにより、氷粒子同士が結合することを防止することができる。
【先行技術文献】
【特許文献】
【０００８】
【特許文献１】特許第４６５３９２１号公報
【特許文献２】特開２０１０−７１４８４号公報
【発明の概要】
【発明が解決しようとする課題】
【０００９】
管路洗浄に用いるシャーベット状流動体は、管路内の堆積物を削り取る効果を高めるために、塩水に対して固体である氷粒子の割合が高い流動体、具体的には、含氷率が７０％以上のシャーベット状流動体とすることが求められる。
【００１０】
しかしながら、引用文献２に記載の製氷システムでは、含氷率が高くなると、攪拌装置によって攪拌された氷粒子が、塩水とともに還流経路に流れて製氷装置に入り込み、配管内に詰まりが生じる等の不具合が発生する虞がある。
【００１１】
このような事態を回避するために、含氷率が高くなった際に、シャーベット状流動体の攪拌を停止して、貯留タンク内で氷粒子と塩水とを十分に分離させようとすると、氷粒子同士が結合して氷粒子の粒径を小さく維持することができなくなる。それ故、攪拌装置を備えたタンクを別途用意し、このタンクに含氷率の高いシャーベット状流動体を移して攪拌する必要があり、設備が大型化していた。
【００１２】
本発明は、上記課題に鑑みてなされたものであり、その目的は、設備を大型化することなく含氷率の高いシャーベット状流動体を生成できる製氷システム及び製氷方法並びに該シャーベット状流動体を用いた管路洗浄方法を提供することにある。
【課題を解決するための手段】
【００１３】
上記目的を達成するための請求項１に係る発明は、
塩水を冷却して氷粒子を含有するシャーベット状流動体を生成する製氷装置と、
該製氷装置によって生成されたシャーベット状流動体を貯める貯留タンクと、
該貯留タンク内のシャーベット状流動体を攪拌する攪拌装置と、
前記貯留タンクから排出される流動体を前記製氷装置を介して該貯留タンクに還流させる還流経路と、を備えた製氷システムにおいて、
前記還流経路は、前記貯留タンクから排出される流動体から氷粒子を分離して塩水を抽出する氷粒子分離機構と、抽出された塩水を前記製氷装置へ送る圧送手段と、を備えたことを特徴とする。
【００１４】
この構成によれば、還流経路を用いて貯留タンク内の貯留された塩水を繰り返し還流すことにより、含氷率の高いシャーベット状流動体を生成することができる。また、貯留タンク内のシャーベット状流動体の含氷率が高くなってきた場合に、攪拌装置によって貯留タンク内のシャーベット状流動体を攪拌して氷粒子同士の結合を防止しつつ、還流経路に設けられた氷粒子分離機構により、貯留タンクから排出されるシャーベット状流動体から氷粒子を分離して抽出された塩水を製氷装置へ供給することができる。これにより、１つの貯留タンクで、シャーベット状流動体の攪拌を行いながら、この貯留タンクに貯留されるシャーベット状流動体の含氷率を高めることができるので、設備を大型化することなく、含氷率の高いシャーベット状流動体を生成することができる。
【００１５】
請求項２に係る発明は、請求項１に記載の製氷システムにおいて、
前記還流経路は、
前記氷粒子分離機構により分離された氷粒子を前記貯留タンク内に戻す氷粒子返還機構を備えたことを特徴とする。
【００１６】
この構成によれば、還流経路において分離された氷粒子を氷粒子返還機構によって貯留タンク内に戻すことにより、氷粒子返還機構における氷粒子の堆積を防止して塩水の抽出性能を保持しながら貯留タンク内の含氷率を高めることができるので、効率よく含氷率の高いシャーベット状流動体を生成することができる。
【００１７】
請求項３に係る発明は、請求項２に記載の製氷システムにおいて、
前記氷粒子分離機構は、前記貯留タンクの流動体排出口又はその近傍に設けられ、シャーベット状の流動体から氷粒子を分離する分離フィルタを有し、
前記氷粒子返還機構は、前記分離フィルタに堆積した氷粒子に対して、前記還流経路の流れ方向と逆方向の流体圧力を付与する圧力付与手段を備えたことを特徴とする。
【００１８】
この構成によれば、分離フィルタに堆積した氷粒子を圧力付与手段によって除去し、貯留タンク内に戻すことができるので、簡易な構造で効率よく含氷率の高いシャーベット状流動体を生成することができる。
【００１９】
請求項４に係る発明は、請求項１〜３のいずれか１項に記載の製氷システムにおいて、
前記貯留タンクに形成された流出口と流入口との間を前記製氷装置を介さずに連結する循環配管と、前記流出口から前記流入口に向かって前記循環配管内の流動体を圧送する圧送手段と、を有する循環経路を備えたことを特徴とする。
【００２０】
この構成によれば、貯留タンク内のシャーベット状流動体の含氷率が高くなった際に、攪拌装置による攪拌とともに、循環経路によるシャーベット状流動体の循環を行うことができる。攪拌装置のみで含氷率の高いシャーベット状流動体の流動性を維持する場合、攪拌されない領域をなくすために、攪拌速度を十分に上げる必要があるが、これによって攪拌部に近い領域では氷粒子が融解することがある。攪拌とともに、循環経路によってシャーベット状流動体を循環させることで、攪拌速度の上昇を抑えて氷粒子の融解を防止しながら、シャーベット状流動体の流動性を維持することができる。
【００２１】
請求項５に係る発明は、請求項１〜４のいずれか１項に記載の製氷システムにおいて、
前記貯留タンク内のシャーベット状流動体の最終的な含氷率が７０％以上であることを特徴とする。
【００２２】
この構成によれば、貯留タンク内の流動体を管路洗浄に適したシャーベット状流動体とすることができる。
【００２３】
請求項６に係る発明は、請求項１〜５のいずれか１項に記載の製氷システムにおいて、
前記製氷装置は、
熱交換媒体によって内周面が冷却される円筒状の冷却ドラムと、
該冷却ドラムの内部に配置され、円柱状の外周面に、前記冷却ドラムの内周面に付着した氷を掻き取る螺旋状の刃を有するオーガスクリュと、
前記冷却ドラムの一端部に設けられ、該冷却ドラムの内周面と前記オーガスクリュの外周面との間に塩水を注入する注入口と、
前記冷却ドラムの他端部に設けられ、前記オーガスクリュにより搬送された氷粒子を含有するシャーベット状の流動体を排出する排出口と、
を備えたことを特徴とする。
【００２４】
この構成によれば、注入口から注入された塩水が冷却ドラムで冷却され、その内周面に付着した氷をオーガスクリュで掻き取ることで、氷粒子を含有するシャーベット状流動体を生成し、排出口から排出することができる。
【００２５】
請求項７に係る発明は、
請求項１〜６のいずれか１項に記載の製氷システムを用いて氷粒子を含有するシャーベット状流動体を生成する製氷方法であって、
前記還流経路を用いて前記貯留タンクに貯留された塩水を繰り返し還流する還流工程と、
前記貯留タンク内のシャーベット状流動体を前記攪拌装置により攪拌する攪拌工程と、
を含み、
前記攪拌工程を行いながら前記還流工程を複数回繰り返すことにより、前記貯留タンク内のシャーベット状流動体の含氷率を７０％以上にすることを特徴とする。
【００２６】
この構成によれば、貯留タンク内のシャーベット状流動体の含氷率が高くなってきた場合に、攪拌装置によって貯留タンク内のシャーベット状流動体を攪拌して氷粒子同士の結合を防止しつつ、還流経路に設けられた氷粒子分離機構により、貯留タンクから排出されるシャーベット状流動体から氷粒子を分離して抽出された塩水を製氷装置へ供給することができる。これにより、氷粒子の詰まり等による不具合を防止しながら含氷率が７０％以上のシャーベット状流動体を生成することができる。
【００２７】
請求項８に係る発明は、請求項１〜６のいずれか１項に記載の製氷システムにより生成されたシャーベット状流動体を用いた管路洗浄方法であって、
シャーベット状流動体が収容されたタンクから該流動体の一部を取り出して、含氷率の測定を行う工程と、
測定結果に基づいて、前記タンク内のシャーベット状流動体の含氷率が所定の目標含氷率の範囲内となるように、必要に応じて該シャーベット状流動体の含氷率の調整を行う工程と、
前記目標含氷率の範囲内にあるシャーベット状流動体を用いて管路の洗浄を行う工程と、を含むことを特徴とする。
【００２８】
この構成によれば、管路を洗浄する際に、製氷システムにより生成されたシャーベット状流動体の含氷率を測定して、目標含氷率の範囲内にすることで、より洗浄に適したシャーベット状流動体とすることができる。
【発明の効果】
【００２９】
本発明の製氷システム及び製氷方法によれば、還流経路を用いて貯留タンク内の貯留された塩水を繰り返し還流すことにより、含氷率の高いシャーベット状流動体を生成することができる。また、還流経路に設けられた氷粒子分離機構によってシャーベット状流動体から氷粒子を分離して塩水を抽出することにより、１つの貯留タンクで、シャーベット状流動体の攪拌を行いながら、この貯留タンクに貯留されるシャーベット状流動体の含氷率を高めることができるので、設備を大型化することなく、含氷率の高いシャーベット状流動体を生成することができる。また、本発明の管路洗浄方法によれば、この製氷システムで生成されたシャーベット状流動体を用いて管路を適切に洗浄することができる。
【図面の簡単な説明】
【００３０】
【図１】本発明の実施の形態である製氷システムのブロック図。
【図２】製氷装置の一部を模式的に示す一部断面図。
【図３】製氷装置の他の例を模式的に示す一部断面図。
【図４】製氷システムにおける氷粒子分離機構と氷粒子返還機構を示す説明図。
【図５】製氷システムにおける氷粒子分離機構と氷粒子返還機構の他の例を示す説明図。
【図６】貯留タンク及び攪拌装置の他の実施例を模式的に示す断面図。
【図７】シャーベット状流動体の含氷率の測定手段の説明図。
【図８】シャーベット状流動体を用いた管路洗浄システムを模式的に示す断面図。
【発明を実施するための形態】
【００３１】
図１の本発明の実施の形態である製氷システムのブロック図である。製氷システム１０は、下水管等の管路を洗浄するための氷粒子１４を含有するシャーベット状流動体１２を生成するシステムであり、製氷装置２０と、貯留タンク３０と、攪拌装置３５と、第１還流配管４１と、第２還流配管４２と、循環配管５２とを備える。第１還流配管４１及び第２還流配管４２は、それぞれ、製氷装置２０と貯留タンク３０を繋ぐ配管であり、貯留タンク３０、第１還流配管４１、製氷装置２０及び第２還流配管４２は、貯留タンク３０に貯留された塩水が還流する還流経路４０を構成している。還流経路４０には、分離フィルタ（氷粒子分離機構）４４と、氷粒子返還機構４６と、ポンプ（圧送手段）４３とが設けられている。
【００３２】
製氷装置２０は、図１及び図２に示すように、冷凍回路２１と、冷却ドラム２２と、冷却ドラム２２の内部に配置されたオーガスクリュ２６とを備える。
【００３３】
冷凍回路２１は、冷媒を圧縮する圧縮機と、凝縮器と、冷媒を膨張させる膨張弁と、蒸発器と、これらを循環する冷媒が流通する冷媒配管２８とを備える。冷媒は、冷凍回路２１において閉ループを構成する冷媒配管２８を循環して、圧縮、凝縮、膨張、蒸発の熱サイクルを受ける。
【００３４】
図２に示すように、冷却ドラム２２は、内筒２２Ａ及び内筒２２Ａと一体に構成された外筒２２Ｂを有する円筒状に形成されている。内筒２２Ａの外周面には、冷凍回路２１の蒸発器を構成する冷媒配管２８の一部（以下、冷却管２４と称する）が巻回されている。冷却管２４及び内筒２２Ａは、熱伝導率の高い材料で形成されており、外筒２２Ｂは熱伝導率の低い材料で形成されている。冷却ドラム２２の一端部（図示例では上下方向に長く延びる冷却ドラム２２の下端部）には、内筒２２Ａの内部に塩水を注入するための注入口２３ａが形成され、他端部（図示例では上端部）には排出口２３ｂが形成されている。
【００３５】
オーガスクリュ２６は、円柱状のスクリュ本体２６ａと、スクリュ本体２６ａの外周面に螺旋状に設けられた回転刃（螺旋状の刃）２６ｂとを有する。オーガスクリュ２６は、一端部側に設けられた駆動機構２７により冷却ドラム２２内を回転駆動し、冷却ドラム２２の内周面２３ｃに付着した氷を掻き取って、排出口２３ｂまで搬送する。本実施の形態では、オーガスクリュ２６の回転刃２６ｂが配置されている領域に、冷却ドラム２２の注入口２３ａと排出口２３ｂが設けられている。
【００３６】
この製氷装置２０では、冷却ドラム２２において、注入口２３ａから冷却ドラム２２内に注入された塩水と冷却管２４を流れる冷媒との間で熱交換が行われることにより、塩水が冷却されて氷状になって冷却ドラム２２の内周面２３ｃに付着する。付着した氷はオーガスクリュ２６の回転刃２６ｂによって掻き取られ、氷粒子１４を含有するシャーベット状流動体１２となって排出口２３ｂから排出される。
【００３７】
シャーベット状流動体１２を構成する氷粒子１４の粒径（長径）は５ｍｍ以下であり、好ましくは平均粒径が約０．０１〜０．５ｍｍである。
【００３８】
図３は、製氷装置２０の別の例を模式的に示す一部断面図である。製氷装置２０は、冷凍回路を循環する冷媒により内周面６３が冷却される冷却ドラム６２と、冷却ドラム６２の一端部（図３の上端部）を封止する封止部材６１と、封止部材６１に軸支されて冷却ドラム６２の中心軸上に配置された回転軸６５と、を備える。
【００３９】
冷却ドラム６２は、内筒６２Ａ及び内筒６２Ａと一体に構成された外筒６２Ｂを有する円筒状に形成されている。内筒６２Ａの外周面には、冷凍回路の蒸発器を構成する冷却管６４が巻回されている。冷却ドラム６２の下面はシャーベット状流動体１２を排出する排出口となっている。
【００４０】
回転軸６５は、封止部材６１を貫通し、封止部材６１と間に嵌装された軸受部材６１ａにより、封止部材６１に回転可能に軸支されている。この回転軸６５は、封止部材６１の上方に設置された図示していないギヤードモータによって軸回りに回転する。冷却ドラム６２内の回転軸６５には、回転軸６５とともに回転し、冷却ドラム６２の内周面６３に向けて塩水を噴射する噴射孔６６ａを先端部に有する複数のパイプ６６と、回転軸６５とともに回転する回転刃６７とが取付けられている。複数のパイプ６６は、回転軸６５の外周面に略等間隔で配置され、回転軸１２から竪型ドラム１１の半径方向に放射状に延びている。各パイプ６６の設置位置は、冷却ドラム６２の内筒６２Ａの上部位置であって、内筒６２Ａの内周面の上部に向けて塩水が噴射される。なお、パイプ６６に代えてスプレーノズルを使用してもよい。回転刃６７は、回転軸６５から、この回転軸６５の半径方向外側に延びるアーム部と、アーム部の先端に形成され、冷却ドラム６２の内周面６３に生成されたシャーベット状の氷を掻き取る刃部とを有する。刃部は、内筒２２のほぼ全長（全高）に亘って形成されている。刃部と冷却ドラム６２の内筒６２Ａとの間隙は約０．１ｍｍ〜０．２ｍｍ程度が好ましい。
【００４１】
回転軸６５の上方部には、この回転軸６５内を軸方向に延びて各パイプ６６と連通する連通孔６７が形成されている。回転軸１２の頂部は、図示していないジョイント部材により第１還流配管４１と連結されており、この第１還流配管４１から連通孔６７内に供給された塩水が、各パイプ６６に送られる。
【００４２】
図３に示す製氷装置２０では、ギヤードモータにより回転する回転軸６５の連通孔６７を通って、回転軸６５とともに回転する各パイプ６６から冷却ドラム２２内に噴射された塩水が、冷却されて氷状になって冷却ドラム６２の内周面６３に付着する。付着した氷は回転刃６７の刃部によって掻き取られ、氷粒子１４を含有するシャーベット状流動体１２となって冷却ドラム６２の下面側から排出され、貯留タンク３０内に貯留される。なお、このような製氷装置２０は、例えば、特開２０１７−７２３５８号公報に記載されている装置を参考にして製造することができる。このような製氷装置２０では、図２に示すオーガ式の製氷装置に比べて、含氷率を高めることができる。
【００４３】
なお、図２及び図３に示す製氷装置２０において、冷却ドラムの内周面の温度は、例えば、−３０℃〜−６０℃とすることができる。また、製氷装置２０で生成された氷粒子１４は、氷結晶内に閉じ込められる塩分濃度が、その周囲の塩水よりも低くなるため、製氷装置２０から排出されたシャーベット状流動体１２中の塩水は、製氷装置２０に供給される塩水よりも塩分濃度が高くなる。例えば、塩分濃度５質量％の塩水を用いて、後述する方法により含氷率約８０％のシャーベット状流動体１２を生成した際に、塩水中の塩分濃度は８〜１０質量％となり、一部の塩分は氷粒子１４に含まれた状態とすることができる。
【００４４】
貯留タンク３０は、塩水を貯留するとともに、製氷装置３０で生成されたシャーベット状流動体１２を貯留する。貯留タンク３０は、流動体排出口３１ａと、流動体貯留口３１ｂと、流出口３２ａと、流入口３２ｂとを有する。本実施の形態では、貯留タンク３０の底部にホッパー型の排出部３３が形成されており、その先端が流動体排出口３１ａとなっている。さらに、貯留タンク３０は、上部に図示していない塩投入口を有する。
【００４５】
攪拌装置３５は、貯留タンク３０内に配置された攪拌羽根３７を有し、モータ３６によって攪拌羽根３７を駆動することにより貯留タンク３０内の流体を攪拌する。
【００４６】
第１還流配管４１は、一端が貯留タンク３０の流動体排出口３１ａに接続され、他端が製氷装置２０の冷却ドラム２２の注入口２３ａに接続される。第１流出口３１ａは、貯留タンク３０の底部又は底部付近に形成される。第１還流配管４１には、管路内の流体を貯留タンク３０側から製氷装置２０側へ向かって流すポンプ４３と、第１還流配管４１の流路を開閉する制御バルブ４９とが配設されている。制御バルブ４９はポンプ４３の上流側に配置されている。
【００４７】
図４に示すように、貯留タンク３０の流動体排出口３１ａには、シャーベット状流動体１２から氷粒子１４を分離して塩水を抽出する分離フィルタ４４が設けられている。分離フィルタ４４は、氷粒子１４の平均粒径よりも目が小さく設定されており、本実施の形態では筒状に形成されている。図４に示すように、ホッパー型の排出部３３の高さ方向のほぼ全域に分離フィルタ４４を設けることで、攪拌の影響を受け難くするとともに分離フィルタ４４の詰まりを生じ難くすることができ、氷粒子１４を適切に分離することができる。
【００４８】
分離フィルタ４４によって氷粒子１４が分離された流動体（すなわち塩水）は第１還流配管４１に配設されたポンプ４３によって製氷装置２０へ送られる。
【００４９】
なお、分離フィルタ４４は、流動体排出口３１ａの近傍、例えば、流動体排出口３１ａ付近の貯留タンク３０内や、流動体排出口３１ａの下流付近等に設けられる構成であってもよい。また、分離フィルタ４４の形状はこれに限れず、例えば、所要の厚さのシート状であってもよい。また、分離フィルタ４４に代えて、例えば、遠心分離によって氷粒子１４と塩水とを分離する氷粒子分離機構を還流経路４０に配設する構造であってもよい。
【００５０】
分離フィルタ４４の近傍には氷粒子返還機構４６が設けられている。氷粒子返還機構４６は、分離フィルタ４４により分離された氷粒子１４を貯留タンク３０内に戻すものであり、本実施の形態では、第１還流配管４１から分岐した分岐配管４７と、分離配管４７に配設されたポンプ（圧力付与手段）４８と、流体供給制御バルブ４５とを備える。
【００５１】
分岐配管４７は、一端である上流端が氷粒子分離機構４４よりも下流側の第１還流配管４１に接続され、他端である下流端が氷粒子分離機構４４の近傍の還流経路４０に接続される。本実施の形態では、分岐配管４７の下流端が貯留タンク３０の排出部３３に接続されている。
【００５２】
流体供給制御バルブ４５は図示していない制御装置に接続され、所定のタイミングで分岐配管４７の流路を開閉する。本実施の形態では、制御バルブ４９によって第１還流配管４１の流路を閉鎖した際に、流体供給制御バルブ４５を開放状態にするように各バルブ４５，４９の開閉制御を行う。ポンプ４８は、流体供給バルブ４５を開放した状態で、分岐配管４７を流れる流体を上流端側から下流端側へ圧送する。
【００５３】
上述した氷粒子返還機構４６では、制御バルブ４９を閉鎖状態、流体供給制御バルブ４５を開放状態とし、ポンプ４８を駆動することによって、流動体排出口３１ａから排出された塩水を分岐配管４７を介して分離フィルタ４４に堆積した氷粒子１４に向けて噴射する。これにより、分離フィルタ４４に堆積した氷粒子１４に還流経路４０の流れ方向とは逆方向の流体圧力を付与され、分離フィルタ４４から除去された氷粒子１４が貯留タンク３０内に戻される。なお、氷粒子返還機構４６は、分離フィルタ４４の下流側（製氷装置２０側）から上流側（貯留タンク３０側）に向かって塩水を逆噴射させるように、分岐配管４７の下流端を分離フィルタ４４の下流側に配置する構成であってもよい。
【００５４】
図５は、分離フィルタ４４と、氷粒子返還機構４６の他の例を説明する図である。
【００５５】
分離フィルタ４４は、貯留タンク３０の底部に形成された排出部３３に取付けられた略円錐台形状をしており、その周囲に、抽出された塩水を流通させる管路７０が設けられている。なお、分離フィルタ４４の形状はこれに限られず、円柱状や多角柱状であってもよい。管路７０内の塩水は第１還流配管４１を通って製氷装置２０へ送られる。
【００５６】
氷粒子返還機構４６は、分離フィルタ４４の下流端と貯留タンク３０とを繋ぐ配管７２と、配管７２に設けられたポンプ７３とを備える。配管７２の一端は、貯留タンク３０の底部に形成された貫通孔３８に接続されている。この氷粒子返還機構４６では、ポンプ７３によって、貯留タンク３０内の流動体を分離フィルタ４４に向かって噴射する、すなわち、分離フィルタ４４に流動体の逆噴射を行うことにより、分離フィルタ４４に堆積した氷粒子１４を貯留タンク３０内に戻すことができる。
【００５７】
第２還流配管４２は、一端が冷却ドラム２２の排出口２３ｂに接続され、他端が貯留タンク３０の流動体貯留口３１ｂに接続される。流動体貯留口３１ｂは貯留タンク３０の上部に設けられている。第２還流配管４２により、製氷装置２０で生成されたシャーベット状流動体は貯留タンク３０内へ貯留される。なお、図示していないが第２還流配管４２にシャーベット状流動体を製氷装置２０側から貯留タンク３０側へ圧送するポンプ等の圧送手段を設けてもよい。
【００５８】
循環配管５２は、貯留タンク３０の流出口３２ａと流入口３２ｂとの間を製氷装置２０を介さずに繋ぐ配管であって、その流路にはポンプ（圧送手段）５３が配設されている。循環配管５２とポンプ５３とは、貯留タンク３０内のシャーベット状流動体１２を循環移動させる循環経路５０を構成している。なお、循環経路５０は、ポンプ５３に代えて、圧送手段であるスクリュポンプを設ける構成とすることができる。
【００５９】
さらに、本実施の形態では、循環配管５２から分岐配管５７が延びており、分岐配管５７は利用タンク５８に接続されている。分岐配管５７には流路を開閉するバルブ５９が設けられている。循環配管５２において、分岐配管５７の接続部よりも下流側には、循環配管５２の流路を開閉するバルブ５５が設けられている。
【００６０】
次に、上述した製氷システム１０を用いて管路洗浄に用いるシャーベット状流動体１２を製造する方法について説明する。
【００６１】
まず、貯留タンク３０内に水を貯めるとともに塩投入口から塩を投入し、攪拌装置３５を駆動して攪拌することにより塩水を生成する（塩水生成工程）。この塩水中の塩分の割合は、例えば、３〜７質量％とすることができる。塩水生成工程では、攪拌装置３５による攪拌に加えて、分岐配管５７のバルブ５９を閉鎖し、循環配管５２のバルブ５５を開放した状態で循環経路５０を用いて貯留タンク３０内の塩水を循環させることにより、早期に均一な塩分濃度の塩水を生成することができる。なお、塩水生成工程において還流経路４０は、流動体排出口３１ａやバルブ４９を閉鎖することにより還流停止状態となっている。
【００６２】
塩水が生成された後、製氷装置２０によりシャーベット状流動体１２を生成する（製氷工程）。この製氷工程では、還流経路４０の流路を流通状態とし、ポンプ４３を駆動して貯留タンク３０内の塩水の一部を製氷装置２０に供給してシャーベット状流動体１２を生成する還流工程と、攪拌装置３５を駆動させて貯留タンク３０内の流動体を攪拌する攪拌工程とが同時に行われる。
【００６３】
還流工程において、製氷装置２０へ供給された塩水は、冷却ドラム２２を通過する際に冷却されて氷状になって冷却ドラム２２の内周面２３ｃに付着するとともに、オーガスクリュ２６によって削り取られて氷粒子１４を含有したシャーベット状流動体１２となって、冷却ドラム２２の排出口２３ｂから排出され、第２還流配管４２を通って貯留タンク３０内に貯留される。なお、製氷装置２０によって塩水から生成されるシャーベット状流動体１２の製氷率（すなわち、氷粒子１４を含まない塩水が製氷装置２０を一度通過した際の含氷率）は、例えば、約３０〜６０％、好ましくは約５０〜６０％である。
【００６４】
還流工程の間、貯留タンク３０では、攪拌装置３５を駆動して貯留タンク３０内のシャーベット状流動体１２を攪拌する（攪拌工程）。攪拌工程を行いながら還流工程を複数回繰り返すことにより、貯留タンク３０内のシャーベット状流動体１２の含氷率が次第に高くなる。製氷工程初期では、貯留タンク３０内の流動体において氷粒子１４が上方に浮遊し、塩水が底部に溜った状態となるが、含氷率が高くなるに従って氷粒子１４が混在したシャーベットが貯留タンク３０の底部に溜った状態となる。
【００６５】
還流工程において、貯留タンク３０から排出される流動体に混在した氷粒子１４は、分離フィルタ４４によって塩水と分離される。分離フィルタ４４を通過した塩水は、第１還流配管４１を通って製氷装置に供給される。
【００６６】
分離フィルタ４４に堆積した氷粒子１４は、氷粒子返還機構４６を作動させて、分離フィルタ４４に分岐配管４７を介してポンンプ４８の圧力により塩水を逆噴射させることにより、分離フィルタ４４から除去することができる。この逆噴射によって、分離フィルタ４４に付着した氷粒子１４が貯留タンク３０内に返還される。氷粒子返還機構４６を作動するタイミングは適宜設定することができる。例えば、図示していない検出器によって分離フィルタ４４に堆積した氷粒子１４の量を検出し、氷粒子１４が所定量以上堆積した場合に氷粒子返還機構４６を作動させてもよい。また、別の例として、貯留タンク３０内の含氷率が設定値以上となった後に所定時間の間隔で氷粒子返還機構４６を作動させてもよい。氷粒子返還機構４６を作動させる際には、還流経路４０による還流を一時停止させることができる。
【００６７】
製氷工程において、循環経路５０は、塩水生成工程から継続して貯留タンク３０内の流動体を循環移動させてもよいが、塩水生成工程の後、ポンプ５３を停止して流通停止状態としてもよい。かかる場合、貯留タンク３０内の含氷率が低い製氷工程初期においては循環経路５０の流通停止状態を継続し、貯留タンク３０内の含氷率が所定値以上（例えば、４０％以上）となった際に、ポンプ５３を駆動して流通状態とし、攪拌工程を行いながらシャーベット状流動体１２を循環移動させる。
【００６８】
このように、製氷工程において、還流工程、攪拌工程及び循環経路５０によってシャーベット状流動体１２を移動させる循環工程を同時に行いながら、還流工程を繰り返すことにより、貯留タンク３０内に含氷率の高いシャーベット状流動体１２、具体的には、含氷率が７０％以上、好ましくは含氷率が７５〜９０％、より好ましくは８０〜８５％のシャーベット状流動体１２を生成する。
【００６９】
シャーベット状流動体１２を構成する氷粒子の粒径（長径）は５ｍｍ以下であり、好ましくは平均粒径が約１００μｍ〜３００μｍである。ここで、平均粒径が約１００μｍ〜３００μｍでとは、氷粒子の全質量に対し、少なくとも７０〜８０％の割合を占める氷粒子の粒径が約１００μｍ〜３００μｍの範囲にあることをいう。
【００７０】
製氷工程が終了した後は、攪拌装置３５による攪拌と、循環経路５０による循環によって、シャーベット状流動体１２の流動状態が維持される。
【００７１】
上述した製氷システム１０によれば、還流経路４０を用いて貯留タンク３０内の貯留された塩水を繰り返し還流すことにより、含氷率の高いシャーベット状流動体１２を生成することができる。また、シャーベット状流動体１２の含氷率が高くなってきた場合に、攪拌装置３５による攪拌とともに、循環経路５０によるシャーベット状流動体１２の循環を行うことで、貯留タンク３０内のシャーベット状流動体１２の氷粒子１４同士の結合を防止することができる。
【００７２】
一般に、攪拌装置３５のみで含氷率の高いシャーベット状流動体１２の流動性を維持する場合、攪拌速度を十分に上げる必要があり、その結果、流体の温度が上昇して氷粒子１４が融解することがあるが、攪拌とともに、循環経路５０によってシャーベット状流動体１２を循環させることで、攪拌速度の上昇を抑えて氷粒子１４の融解を防止しながら、シャーベット状流動体１２の流動性を維持することができる。
【００７３】
また、上述した製氷システム１０では、還流経路４０に設けられた分離フィルタ４４により、貯留タンクから排出されるシャーベット状流動体１２から氷粒子１４を分離して抽出された塩水を製氷装置２０へ供給することができるので、１つの貯留タンク３０で、シャーベット状流動体１２の攪拌を行いながら、この貯留タンク３０に貯留されるシャーベット状流動体１２の含氷率を高めることができる。これにより、設備を大型化することなく、含氷率の高いシャーベット状流動体１２を生成することができる。
【００７４】
さらに、氷粒子返還機構４６により、分離フィルタ４４に堆積した氷粒子１４を流体圧力を用いて除去し、貯留タンク３０内に戻すことができるので、簡易な構造で効率よく含氷率の高いシャーベット状流動体１２を生成することができる。
【００７５】
なお、塩水生成工程において、貯留タンク３０内に貯留される塩水は、０℃より高い温度、例えば室温とすることができる。塩水生成工程の後、還流経路４０を用いて製氷工程を継続することにより、生成されたシャーベット状流動体１２が貯留タンク３０内に供給され、貯留タンク３０の液体は次第に冷却される。これを繰り返すことにより、塩分を含有する貯留タンク３０内の液体は、温度が０℃より低い温度（例えば、−５℃等）となる過冷却状態となる。このように、貯留タンク３０内の液体が過冷却状態となることで、貯留タンク３０内のシャーベット流状態１２は溶けることなく氷粒子１４を維持できるようになる。
【００７６】
製氷システム１０を用いて生成されたシャーベット状流動体１２は、必要に応じて、循環配管５２のバルブ５５を閉鎖して分岐配管５７のバルブ５９を開放することにより、分岐配管５７を介して利用タンク５８に移され、この利用タンク５８を搭載した施工車によって洗浄現場まで搬送される。利用タンク５８には、攪拌装置５８ａが設けられており、利用タンク５８内のシャーベット状流動体１２を常に攪拌する。さらに、分岐配管５７及び利用タンク５８を用いることなく、製氷システム１０から攪拌装置３５を含む貯留タンク３０及び循環経路５０を分離させて、これらを施工車に搭載して管路洗浄現場へ搬送する構成とすることができる。また、製氷システム１０を搭載した施工車により、製氷システム１０ごと管路洗浄現場へ搬送可能な構成とすることができ、かかる場合は、利用タンク５８を設けない構造とすることができる。含氷率が７０％以上のシャーベット状流動体１２は、洗浄作業が行われるまでの間、常に攪拌されることが好ましく、攪拌装置３５は、少なくとも１５分以上、攪拌を休止させることがないように制御され、より好ましくは５分以上、さらに好ましくは１分以上休止させることがないように制御される。
【００７７】
図６は、製氷システム１０において使用される貯留タンク３０及び攪拌装置３５の他の実施例を示す図である。この貯留タンク３０は、攪拌装置３５及び後述する含氷率測定手段７４とともに、シャーベット状流動体１２を保存可能なタンクシステムを構成している。
【００７８】
この貯留タンク３０は、全体が略円筒状に形成されており、設置状態における貯留タンク３０の上部に、流動体貯留口３１ｂ、流入口３２ｂ及び塩投入口３４が設けられ、底部に、流動体排出口３１ａ及び流出口３２ａが設けられる。なお、図７では流動体排出口３１ａの記載を省略している。
【００７９】
流出口３２ａには、ホッパー３２が接続され、ホッパー３２の下流端に循環配管５２が接続されるとともに、この循環配管５２の内部に圧送手段であるスクリュポンプ５４が設けられる。スクリュ５４に接続された駆動装置５６をＯＮ状態にすると、スクリュポンプ５４が回転して、ホッパー３２内に流入した流動体を循環配管５２を介して流入口３２ｂまで圧送する。
【００８０】
図６に示す例のように、循環経路５０をホッパー３２及びスクリュポンプ５４を用いて構成することで、含氷率の高いシャーベット状流動体１２をより適切に循環移動させることができる。さらに、スクリュポンプ５４を貯留タンク３０とともに流動体注入装置８８に搭載することにより、管路洗浄作業において、このスクリュポンプ５４を、シャーベット状流動体１２を注入用連通管内に圧送するための圧送手段として用いることができる。
【００８１】
なお、貯留タンク３０に用いられる攪拌装置３５の攪拌の代表速度（攪拌速度が最も速い部分の速度、すなわち、攪拌羽根の半径方向最外側の速度）は、約０．１〜０．２ｍ／ｓであることが好ましい。
【００８２】
また、スクリュポンプ５４の下流側の配管５０Ａには、シャーベット状流動体１２の含氷率を測定するための含氷率測定手段７４が設けられている。図７に示すように、本実施形態の含氷率測定手段７４は、配管５０Ａに連結したバイパス配管７６と、バイパス配管７６の上流端部及び下流端部に設けられて管路を開閉可能なバルブ７５Ｂ，７５Ｃと、バイパス配管７６の容積を変化させるピストン状の可動部材７７とを備える。なお、図７では、理解しやすいように、バイパス配管７６の２つのバルブ７５Ｂ，７５Ｃの間の領域のシャーベット状流動体１２のみを記載している。
【００８３】
可動部材７７は、バルブ７５Ｂ，７５Ｃの間に配置されており、バイパス配管７６の内周面を摺動可能な円柱のフィルタ部７７ａと、これを移動させるための棒状部７７ｂとを有する。フィルタ部７７ａは、氷粒子１４の平均粒径よりも目が小さく設定されることで、塩水のみを通過可能に構成されている。
【００８４】
この含氷率測定手段７４では、図７（ａ）に示すように、配管５０Ａに設けられたバルブ７５Ａを閉じてバイパス配管７６内にシャーベット状流動体１２を充填させ、その後、バルブ７５Ｂ，７５Ｃを閉じる。次に、図７（ｂ）に示すように、可動部材７７を移動させることにより、フィルタ部７７ａで仕切られた一方の領域が氷粒子１４のみで充填され、他方の領域に塩水が排出されるようにし、この際の可動部材７７の移動量を測定することで含氷率を間接的に測定する。なお、バイパス配管７６における可動部材７７の移動量と、含氷率との関係は、予め行った実験結果から設定しておくことができる。また、バイパス配管７６を透明な配管とし、視認可能な目盛りを付すことで、この管路内を移動したフィルタ７７ａの移動量を視認しやすくすることができる。
【００８５】
一例として、シャーベット状流動体の目標含氷率（所定の目標含氷率）を８０〜８５％と設定した場合、測定結果により、含氷率が目標値よりも低い場合には、製氷装置２０によってより含氷率を高めることができる。また、測定した含氷率が目標値よりも高い場合には、貯留タンク３０に接続された塩水用配管７８から、貯留タンク３０内に塩水を供給して含氷率を低下させることができる。なお、これに代えて又はこれと同時に、攪拌装置３５の攪拌速度を上げて氷粒子１４を融解することにより、含氷率を低下させてもよい。
【００８６】
次に、製氷システム１０により生成されたシャーベット状の流動体１２を用いて、管路の内部を洗浄する管路洗浄システム８０について説明する。
【００８７】
図８は、管路洗浄システム８０の一例を模式的に示す断面図である。管路洗浄システム８０は、洗浄対象管路の一例である上水道本管８２と、上水道本管８２と外部とを連通する複数の枝管８４，８５と、上水道本管８２の洗浄対象区間の上流側及び下流側の開口端部をそれぞれ閉鎖する制水弁８６ａ，８６ｂと、上水道本管８２内に流動体１２を加圧注入する流動体注入装置８８と、流動体１２を回収する回収タンク８９とを備える。
【００８８】
上水道本管８２は、地面から所定の深さに埋設されており、管路の途中に複数の制水弁８６ａ，８６ｂが設置される。洗浄時には、上水道本管８２の洗浄対象区間９０の両端部に位置する制水弁８６ａ，８６ｂを閉じることで、洗浄対象区間９０の上水９８の流れを止めることができる。
【００８９】
枝管８４，８５は、上水道本管８２から分岐して地上へ延びる管路であって、上水道本管８２の延在方向に所定の間隔をあけて複数設けられる。枝管８４，８５は、上水道本管８２の点検等に用いられ、止水弁９１，９２を介して図示していない消火栓又は排泥管等が取付けられる。
【００９０】
枝管８４，８５のうち、洗浄対象区間９０の一端部側に位置する枝管８４は、シャーベット状流動体１２を注入する注入用配管として用いられ、他端部側に位置する枝管８５は、シャーベット状流動体１２を排出する排出用配管として用いられる。図８に示す例では、枝管８４，８５が、地面から所定深さ掘った凹所９４，９５内に突出しており、枝管８４，８５に取付けられた止水弁９１，９２を介して、注入用配管である接続管９６及び排出用配管である接続管９７と連結される。
【００９１】
流動体注入装置８８は、シャーベット状流動体１２を収容する貯留タンク３０又は利用タンク５８と、このタンク内の流動体１２を注入用連通管内に圧送する圧送手段（例えば、スクリュポンプ等）とを備える。本実施形態では、洗浄を行うための施工車に製氷システム１０が搭載されており、流動体注入装置８８は、図６に示す貯留タンク３０、スクリュポンプ５４及び含氷率測定手段７４等を備えたタンクシステムによって構成されている。流動体注入装置８８は地上に配置され、流動体注入装置８８から吐出されるシャーベット状流動体１２は、接続管９６及び枝管８４を介して上水道本管２０内に加圧注入される。本実施形態では、図６に示すように、循環配管５２に設けられた三方弁５５Ａによって流路を切り替えて、スクリュポンプ５４により圧送されたシャーベット状流動体１２を、三方弁５５Ａを介して接続された接続管９６に注入することができる。
【００９２】
回収タンク８９は、洗浄後のシャーベット状流動体１２を回収するためのタンクであり、排出用配管である接続管９７の下流端に設置される。
【００９３】
上述した管路洗浄システム８０では、以下の方法によって上水道本管８２を洗浄する。
【００９４】
まず、図６及び図７に示すように、地上に配置した流動体注入装置８８の設けられた含氷率測定手段７４によって、貯留タンク３０内のシャーベット状流動体１２の含氷率を測定する。測定結果から、含氷率が目標含氷率の範囲を超えていると判断した場合には、含氷率の調整を行う。例えば、含氷率が低い場合には、製氷装置２０を稼働させて貯留タンク３０内の含氷率を上げ、含氷率が高い場合には、塩水用配管７８から、貯留タンク３０内に塩水を供給して含氷率を下げることによって、シャーベット状流動体１２を目標含氷率の範囲内に調整する。
【００９５】
次に、枝管８４に、止水弁９１及び接続管９６を介して、流動体注入装置８８を接続し、枝管８５に、止水弁９２及び接続管９７を介して、回収タンク８９を接続する。また、制水弁８６ａ，８６ｂを閉じて洗浄対象区間９０の上水９８の流れを止める。なお、シャーベット状流動体１２の含氷率の調整を行う場合、これらの作業を並行して行うことができる。
【００９６】
次に、止水弁９１，９２を開放し、流動体注入装置８８を作動させ、洗浄対象区間９０内にシャーベット状流動体１２を加圧注入する。この時、洗浄対象区間２０内に残留している上水９８は、シャーベット状流動体１２の注入により下流側へ押し出されて排出される。
【００９７】
シャーベット状流動体１２は、洗浄対象区間９０の少なく一部の領域で管路断面を充満するように加圧注入される。本実施の形態ではシャーベット状流動体１２が洗浄対象区間９０の全域に亘って充填され、洗浄対象区間９０内を例えば、約０．３〜１．０ｍ／ｓの速度で移動するように加圧注入している。移動速度は一定であってもよいし、所定の範囲内で変化させてもよい。長年使用された上水道本管８２の内壁には、全周に亘って堆積物が付着しており、シャーベット状流動体１２が移動することにより、付着した堆積物が削り取られて管路内が洗浄される。シャーベット状流動体１２の含氷率を７０％〜９０％とすることで、堆積物を削り取りながら、長距離の管路内を洗浄することができる。上水道本管８２では、例えば、内径が約１００〜４００ｍｍである場合に、洗浄対象区間１６の長さを約３００〜４０００ｍとすることができる。
【００９８】
洗浄対象区間９０を通過したシャーベット状流動体１２及び取り除かれた堆積物等は、枝管８５及び接続管９７を経て回収タンク８９内へ排出される。なお、図示していないが、排出用配管には水質監視装置が接続され、この水質監視装置により排出されたシャーベット状流動体１２の濁度、温度、管路内圧力等が監視される。
【００９９】
洗浄に必要な量のシャーベット状流動体１２の注入が完了すると、止水弁９１を閉鎖する。次に、上流側の制水弁８６ａを開放して、上水９８を洗浄対象区間９０に流すことにより、上水道本管８２内のシャーベット状流動体１２を押し流して枝管８５から外部へ排出する。このような上水９８による洗浄対象区間９０のフラッシングは、水質監視装置によって所定の水質が得られるまで行われる。所定の水質が確認された後、止水弁９２を閉鎖し、制水弁８６ｂを開放する。
【０１００】
この管路洗浄システム８０ではシャーベット状流動体１２によって、付着した堆積物を除去し、シャーベット状流動体１２とともに排出することで適切に洗浄することができる。含氷率の高いシャーベット状流動体１２を用いることで、堆積物を削り取る力を大きくして洗浄力を高めるとともに、除去した堆積物を固体の氷粒子１４によって、管路内に留めることなく適切に排出させることができる。
【０１０１】
また、シャーベット状流動体１２を上水道本管８２に注入する前に、含氷率の測定を行って、目標含氷率となるように調整を行うことで洗浄効果を高めることができる。
【０１０２】
例えば、シャーベット状流動体１２の生成場所が、洗浄現場と離れている場合、シャーベット状流動体１２を搬送している間に氷粒子１４が溶けて含氷率が低下するおそれがあり、製氷時に、含氷率が目標値よりも高いシャーベット状流動体１２を生成してすることがある。このような場合に、洗浄現場において含氷率を測定し、含氷率が目標値よりも未だ高い状態である場合に塩水を供給して目標の範囲内とすることで、シャーベット状流動体１２の流動性を確保することができる。
【０１０３】
なお、洗浄対象となる管路は、上水道管に限られず、下水道管や工業・農場用配管等であってもよい。下水道管を洗浄する場合、例えば、内径が約１５０〜６００ｍｍの下水道管に対し、洗浄対象区間を約１５〜３００ｍとすることができ、シャーベット状流動体１２の含氷率を７０％以上とすることで、洗浄対象区間における氷粒子による削り取り性能を保持しながら、除去した堆積物を適切に搬送・排出することが可能である。
【０１０４】
なお、本発明は上述した実施形態や変形例に限定されるものではなく、発明の趣旨を逸脱しない範囲で種々の変更が可能である。
【符号の説明】
【０１０５】
１０    製氷システム
２０    製氷装置
２１    冷凍回路
２２    冷却ドラム
２４    冷却管
２６    オーガスクリュ
２８    冷媒配管
３０    貯留タンク
３５    攪拌装置
４０    還流経路
４１    第１還流配管
４２    第２還流配管
４４    氷粒子分離機構
４６    氷粒子返還機構
４８    ポンプ（圧力付与手段）
５０    循環経路
５２    循環配管
５８    利用タンク
８０    管路洗浄システム
【図１】
2020159640.tif 000003
【図２】
2020159640.tif 000004
【図３】
2020159640.tif 000005
【図４】
2020159640.tif 000006
【図５】
2020159640.tif 000007
【図６】
2020159640.tif 000008
【図７】
2020159640.tif 000009
【図８】
2020159640.tif 000010